(57)【要約】【課題】クロスフローファンの内部あるいは近傍において急激な空気圧力変化を生じさせにくくして渦の発生を抑制し、ひいては、ＮＺ音を低減する。【解決手段】室内ユニット２のケーシング２３には、空気の吸い込み口５２ａ，５３ａおよび吹き出し口５６ａが形成されている。クロスフローファンである室内ファン２２は、ケーシング２３の内部に気流を形成する。室内熱交換器２１は、吸い込み口５２ａ，５３ａを介してケーシングの内部に吸い込まれた空気との間で熱交換を行う。スクロール部材７０は、案内面７０ａを有する。案内面７０ａは、室内ファン２２によって室内ファン２２よりも気流の下流側に流された空気を吹き出し口５６ａまたはその近傍まで案内する。案内面７０ａ上には、多数の整流リブ８０が室内ファン２２の幅方向に互いにランダムなピッチＰ１，Ｐ２，Ｐ３，・・・を開けて配列されている。【選択図】図７
2008095971.tif 000002
【特許請求の範囲】
【請求項１】
空気の吸い込み口（５２ａ，５３ａ）および吹き出し口（５６ａ）が形成されているケーシング（２３）と、
前記ケーシング（２３）の内部に配置され、前記ケーシング（２３）の内部に気流を形成するクロスフローファン（２２）と、
前記ケーシング（２３）の内部に配置され、前記吸い込み口（５２ａ，５３ａ）を介して前記ケーシング（２３）の内部に吸い込まれた空気との間で熱交換を行う熱交換器（２１）と、
前記クロスフローファン（２２）によって前記クロスフローファン（２２）よりも前記気流の下流側に流された空気を前記吹き出し口（５６ａ）またはその近傍まで案内する案内面（７０ａ）を有する案内部材（７０）と、
を備え、
前記案内面（７０ａ）上には、多数のリブ（８０）が前記クロスフローファン（２２）の幅方向に互いにランダムなピッチ（Ｐ１，Ｐ２，Ｐ３，・・・）を開けて配列されている、
空気調和装置（１）の室内ユニット（２）。
【請求項２】
前記多数のリブ（８０）は、互いに１０ｍｍ以下のランダムなピッチ（Ｐ１，Ｐ２，Ｐ３，・・・）を開けて配列されている、
請求項１に記載の空気調和装置（１）の室内ユニット（２）。
【請求項３】
前記多数のリブ（８０）は、互いに３ｍｍ以上、かつ、７ｍｍ以下のランダムなピッチ（Ｐ１，Ｐ２，Ｐ３，・・・）を開けて配列されている、
請求項２に記載の空気調和装置（１）の室内ユニット（２）。
【請求項４】
前記各リブ（８０）は、前記案内面（７０ａ）からランダムな高さを有している、
請求項１から３のいずれかに記載の空気調和装置（１）の室内ユニット（２）。
【請求項５】
前記各リブ（８０）は、前記気流の方向にランダムな長さを有している、
請求項１から４のいずれかに記載の空気調和装置（１）の室内ユニット（２）。
【請求項６】
前記各リブ（８０）は、前記案内面（７０ａ）からの高さが最大となる頂点（８０ｃ）を有しており、
前記各頂点（８０ｃ）は、前記気流の方向にランダムな位置に存在している、
請求項１から５のいずれかに記載の空気調和装置（１）の室内ユニット（２）。
【請求項７】
前記各リブ（８０）は、前記クロスフローファン（２２）の幅方向にランダムな幅を有している、
請求項１から６のいずれかに記載の空気調和装置（１）の室内ユニット（２）。
【請求項８】
前記多数のリブ（８０）は、互いに同じ形状を有している、
請求項１から３のいずれかに記載の空気調和装置（１）の室内ユニット（２）。
【請求項９】
前記各リブ（８０）は、前記気流の方向にランダムに配置されている、
請求項８に記載の空気調和装置（１）の室内ユニット（２）。
【請求項１０】
前記ケーシング（２３）は、前記吸い込み口（５２ａ，５３ａ）および前記吹き出し口（５６ａ）が形成されている正面パネル（５１）、ならびに壁面に取り付けられる背面ケーシング（５７）を有し、
前記案内面（７０ａ）は、前記クロスフローファン（２２）の前記背面ケーシング（５７）側の近傍から前記吹き出し口（５６ａ）またはその近傍まで広がっており、
前記多数のリブ（８０）は、前記クロスフローファン（２２）の前記背面ケーシング（５７）側の近傍に配列されている、
請求項１から９のいずれかに記載の空気調和装置（１）の室内ユニット（２）。
【発明の詳細な説明】
【技術分野】
【０００１】
本発明は、空気調和装置の室内ユニットに関し、特に、クロスフローファンを備える空気調和装置の室内ユニットに関する。
【背景技術】
【０００２】
従来より、クロスフローファンを備える空気調和装置の室内ユニットにおいては、クロスフローファンの下流から吹き出し口またはその近傍まで空気を案内する案内部材の案内面上に多数のリブが配列されることがある。例えば、特許文献１においては、互いに高さ、幅および長さの等しい多数のリブが、クロスフローファンの幅方向に等間隔に配列されている。なお、略円筒形状であるクロスフローファンの幅方向とは、その円筒の高さ方向を意味する。各リブは、その長手方向がクロスフローファンから吹き出し口に向かう気流の方向に沿うように配置されており、当該気流を整流し、サージング現象の発生を抑制し、騒音や振動の抑制された静かで安定した運転を可能としている。
【特許文献１】特公平０７−０９６９５３号公報
【発明の開示】
【発明が解決しようとする課題】
【０００３】
しかしながら、特許文献１のように、多数のリブが等間隔に配列されている場合にあっては、依然としてクロスフローファンの羽根車の内部またはその近傍において急激な空気圧力変化により渦が発生し、クロスフローファンから吹き出し口に向かう気流が不安定になることがある。その結果、ＮＺ音（周波数がファン回転数Ｎ×回転翼数Ｚとなる騒音）が十分に解消されないことがある。
【０００４】
本発明の課題は、クロスフローファンの内部あるいは近傍において急激な空気圧力変化を生じさせにくくして渦の発生を抑制し、ひいては、ＮＺ音を低減することにある。
【課題を解決するための手段】
【０００５】
第１発明にかかる空気調和装置の室内ユニットは、ケーシングと、クロスフローファンと、熱交換器と、案内部材とを備える。ケーシングには、空気の吸い込み口および吹き出し口が形成されている。クロスフローファンは、ケーシングの内部に配置され、ケーシングの内部に気流を形成する。熱交換器は、ケーシングの内部に配置され、吸い込み口を介してケーシングの内部に吸い込まれた空気との間で熱交換を行う。案内部材は、案内面を有する。案内面は、クロスフローファンによってクロスフローファンよりも気流の下流側に流された空気を吹き出し口またはその近傍まで案内する。案内面上には、多数のリブがクロスフローファンの幅方向に互いにランダムなピッチを開けて配列されている。
【０００６】
この室内ユニットでは、クロスフローファンの下流から吹き出し口またはその近傍まで空気を案内する案内部材の案内面上に多数のリブが配列されている。これらの多数のリブは、クロスフローファンの幅方向に一列に並んでおり、クロスフローファンから吹き出し口に向かう気流を整流する。また、これらの多数のリブ間の各ピッチは、ランダムに設定されている。これにより、この室内ユニットでは、クロスフローファンの内部あるいは近傍において急激な空気圧力変化が生じにくくなっており、渦の発生が抑制されるようになっている。したがって、この室内ユニットでは、ＮＺ音が低減される。なお、本発明における「ランダム」とは、コンピュータなどを用いて発生させた乱数に基づいて設定される場合のみならず、人間の手作業で設定される場合なども含む。
【０００７】
第２発明にかかる空気調和装置の室内ユニットは、第１発明にかかる空気調和装置の室内ユニットであって、多数のリブは、互いに１０ｍｍ以下のランダムなピッチを開けて配列されている。
【０００８】
この室内ユニットでは、多数のリブ間の各ピッチが、１０ｍｍ以下の範囲内でランダムに設定されている。これにより、この室内ユニットでは、多数のリブによる気流の整流効果が増大され、クロスフローファンから吹き出し口に向かう気流を安定に保つことができる。
【０００９】
第３発明にかかる空気調和装置の室内ユニットは、第２発明にかかる空気調和装置の室内ユニットであって、多数のリブは、互いに３ｍｍ以上、かつ、７ｍｍ以下のランダムなピッチを開けて配列されている。
【００１０】
この室内ユニットでは、多数のリブ間の各ピッチが、３ｍｍ以上、かつ、７ｍｍ以下の範囲内でランダムに設定されている。これにより、この室内ユニットでは、クロスフローファンから吹き出し口に向かう気流をより安定に保つことができる。
【００１１】
第４発明にかかる空気調和装置の室内ユニットは、第１発明から第３発明のいずれかにかかる空気調和装置の室内ユニットであって、各リブは、案内面からランダムな高さを有している。
【００１２】
この室内ユニットでは、各リブの案内面からの高さがランダムに設定されている。これにより、この室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００１３】
第５発明にかかる空気調和装置の室内ユニットは、第１発明から第４発明のいずれかにかかる空気調和装置の室内ユニットであって、各リブは、気流の方向にランダムな長さを有している。
【００１４】
この室内ユニットでは、各リブの気流の方向の長さがランダムに設定されている。これにより、この室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００１５】
第６発明にかかる空気調和装置の室内ユニットは、第１発明から第５発明のいずれかにかかる空気調和装置の室内ユニットであって、各リブは、案内面からの高さが最大となる頂点を有している。各頂点は、気流の方向にランダムな位置に存在している。
【００１６】
この室内ユニットでは、各リブが案内面からの高さが最大となる頂点を有しており、各頂点の気流の方向の位置がランダムに設定されている。これにより、この室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００１７】
第７発明にかかる空気調和装置の室内ユニットは、第１発明から第６発明のいずれかにかかる空気調和装置の室内ユニットであって、各リブは、クロスフローファンの幅方向にランダムな幅を有している。
【００１８】
この室内ユニットでは、各リブのクロスフローファンの幅方向の幅がランダムに設定されている。これにより、この室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００１９】
第８発明にかかる空気調和装置の室内ユニットは、第１発明から第３発明のいずれかにかかる空気調和装置の室内ユニットであって、多数のリブは、互いに同じ形状を有している。
【００２０】
この室内ユニットでは、空気の案内面上に互いに同じ形状を有する多数のリブが配列されている。これにより、この室内ユニットでは、クロスフローファンから吹き出し口に向かう気流を安定に保つことができる。
【００２１】
第９発明にかかる空気調和装置の室内ユニットは、第８発明にかかる空気調和装置の室内ユニットであって、各リブは、気流の方向にランダムに配置されている。
【００２２】
この室内ユニットでは、空気の案内面上に互いに同じ形状を有する多数のリブが配列されており、各リブの気流の方向の位置がランダムに設定されている。これにより、この室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００２３】
第１０発明にかかる空気調和装置の室内ユニットは、第１発明から第９発明のいずれかにかかる空気調和装置の室内ユニットであって、ケーシングは、正面パネルおよび背面ケーシングを有する。正面パネルには、吸い込み口および吹き出し口が形成されている。背面ケーシングは、壁面に取り付けられる。案内面は、クロスフローファンの背面ケーシング側の近傍から吹き出し口またはその近傍まで広がっている。多数のリブは、クロスフローファンの背面ケーシング側の近傍に配列されている。
【００２４】
この室内ユニットは、壁掛け用の室内ユニットである。そして、この室内ユニットでは、クロスフローファンの背面ケーシング側の近傍から吹き出し口またはその近傍まで広がる案内面上の、クロスフローファンの背面ケーシング側の近傍に、多数のリブが配列されている。これにより、この室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【発明の効果】
【００２５】
上述したように、本発明によれば、以下の効果が得られる。
【００２６】
第１発明にかかる空気調和装置の室内ユニットでは、クロスフローファンの内部あるいは近傍において急激な空気圧力変化が生じにくくなっており、渦の発生が抑制されるようになっている。したがって、この室内ユニットでは、ＮＺ音が低減される。
【００２７】
第２発明にかかる空気調和装置の室内ユニットでは、多数のリブによる気流の整流効果が増大され、クロスフローファンから吹き出し口に向かう気流を安定に保つことができる。
【００２８】
第３発明にかかる空気調和装置の室内ユニットでは、クロスフローファンから吹き出し口に向かう気流をより安定に保つことができる。
【００２９】
第４発明にかかる空気調和装置の室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００３０】
第５発明にかかる空気調和装置の室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００３１】
第６発明にかかる空気調和装置の室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００３２】
第７発明にかかる空気調和装置の室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００３３】
第８発明にかかる空気調和装置の室内ユニットでは、クロスフローファンから吹き出し口に向かう気流を安定に保つことができる。
【００３４】
第９発明にかかる空気調和装置の室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【００３５】
第１０発明にかかる空気調和装置の室内ユニットでは、クロスフローファンの内部あるいは近傍において急激な空気圧力変化がさらに生じにくくなっており、渦の発生がさらに抑制されるようになっている。したがって、この室内ユニットでは、ＮＺ音がより低減される。
【発明を実施するための最良の形態】
【００３６】
以下、本発明の第１実施形態にかかる空気調和装置１の室内ユニット２について説明する。
【００３７】
＜第１実施形態＞
（１）空気調和装置の外観
図１は、本発明の第１実施形態にかかる室内ユニット２を備える空気調和装置１の外観を示す図である。
【００３８】
この空気調和装置１は、室内の壁面などに設置される室内ユニット２と、室外に設置される室外ユニット３と、室内ユニット２と室外ユニット３とを接続する冷媒配管４とを備えており、各ユニット２，３のケーシング２３，３０内に収容された機器・弁類と冷媒配管４とが接続されて冷媒回路を構成している。
【００３９】
（２）空気調和装置の冷媒回路
図２は、空気調和装置１の概略冷媒回路を示す図である。この冷媒回路は、主として、室内熱交換器２１、アキュムレータ３１、圧縮機３２、四路切換弁３３、室外熱交換器３４および膨張弁３５から構成されている。
【００４０】
室内ユニット２は、室内熱交換器２１を有しており、室内熱交換器２１は、室内空気との間で熱交換を行う。また、室内ユニット２は、室内ファン２２を有している。室内ファン２２が駆動されると、室内ユニット２のケーシング２３内には気流が形成され、これにより、室内空気が室内からケーシング２３内に吸い込まれ、吸い込まれた空気と室内熱交換器２１との間で熱交換が行われ、熱交換後の空気がケーシング２３内から室内に吹き出されることになる。室内ファン２２は、細長い円筒形状の羽根車２２ａと、羽根車２２ａを回転駆動するファンモータ２２ｂとを有しており、羽根車２２ａの回転軸Ａ１（図３参照）と交わる方向に空気を吹き出すクロスフローファンである。室内ユニット２の詳細な構成については後述する。
【００４１】
室外ユニット３は、圧縮機３２と、圧縮機３２の吐出側に接続された四路切換弁３３と、圧縮機３２の吸入側に接続されたアキュムレータ３１と、四路切換弁３３に接続された室外熱交換器３４と、室外熱交換器３４に接続された膨張弁３５とを有している。膨張弁３５は、液側閉鎖弁３６を介して液冷媒配管４１に接続されており、この液冷媒配管４１を介して室内熱交換器２１の一端と接続されている。また、四路切換弁３３は、ガス側閉鎖弁３７を介してガス冷媒配管４２に接続されており、このガス冷媒配管４２を介して室内熱交換器２１の他端と接続されている。なお、冷媒配管４１、４２は、図１の冷媒配管４に相当する。また、室外ユニット３は、室外ファン３８を有している。室外ファン３８が駆動されると、室外ユニット３のケーシング３０内には気流が形成され、これにより、熱源としての室外空気が室外からケーシング３０内に吸い込まれ、吸い込まれた空気と室外熱交換器３４との間で熱交換が行われ、熱交換後の空気がケーシング３０内から室外に吹き出されることになる。室外ファン３８は、プロペラ形状の翼を有する羽根車３８ａと、羽根車３８ａを回転駆動するファンモータ３８ｂとを有しており、羽根車３８ａの回転軸方向に空気を吹き出すプロペラファンである。
【００４２】
（３）室内ユニットの構成
室内ユニット２は、図１に示すように、正面視において左右方向に長いケーシング２３を有しており、このケーシング２３の内部には、前述の室内熱交換器２１や室内ファン２２が収容されている。
【００４３】
ａ）ケーシング
ケーシング２３は、図１および図３に示すように、主として、正面パネル５１と、背面ケーシング５７とから構成されている。
【００４４】
正面パネル５１は、主として、天面部５２、正面部５３、右側面部５４、左側面部５５および底面部５６から構成されている。天面部５２は、ケーシング２３の天面を形成している。天面部５２には、ケーシング２３の幅方向に沿う複数のスリット状の開口からなる吸い込み口５２ａが形成されている。なお、ケーシング２３の幅方向とは、正面視における左右方向を意味する。正面部５３は、ケーシング２３の正面を形成している。正面部５３の天面部５２側の位置には、ケーシング２３の幅方向に沿う開口からなる吸い込み口５３ａが形成されている。右側面部５４は、ケーシング２３の、室内ユニット２の正面視における右側の側面を形成しており、左側面部５５は、ケーシング２３の、室内ユニット２の正面視における左側の側面を形成している。底面部５６は、ケーシング２３の底面を形成している。底面部５６の正面部５３側の位置には、ケーシング２３の幅方向に沿う開口からなる吹き出し口５６ａが設けられている。また、吹き出し口５６ａには、室内に吹き出される空気を案内するためのフラップ５８が設けられている。フラップ５８は、ケーシング２３の幅方向に平行な軸を中心に回動自在に設けられている。フラップ５８は、フラップモータ（図示せず）によって駆動されることにより、吹き出し口５６ａの開閉を行うことができる。
【００４５】
背面ケーシング５７は、室内ユニット２の背面を形成しており、部屋の壁面に据え付けられる。
【００４６】
ｂ）室内ファン
図４は、正面パネル５１およびフィルタ２５などの部品を取り除いた状態の室内ユニット２の斜視図であり、図５は、正面視において左上部を一部切り欠いた状態の室内ユニット２の斜視図である。
【００４７】
室内ファン２２は、クロスフローファンであり、主として、羽根車２２ａと、ファンモータ２２ｂとを有している。羽根車２２ａは、細長い略円筒形状を有しており、その側面には複数の翼が設けられている。ファンモータ２２ｂは、羽根車２２ａの上面および底面の略中心を貫く回転軸Ａ１を中心に、羽根車２２ａを回転駆動する。室内ファン２２の外形は、概ね羽根車２２ａにより形作られており、略円筒形状となっている。略円筒形状の室内ファン２２は、図４に示すように、その上面および底面が正面パネル５１の側面部５４，５５と平行に対向し、その幅方向がケーシング２３の幅方向と平行になるように配置されている。なお、略円筒形状の室内ファン２２の幅方向とは、その円筒の高さ方向を意味する。また、室内ファン２２は、図３に示すように、側面視においてケーシング２３により規定される内部空間の略中央に位置しており、図４に示すように、正面視においてケーシング２３と概ね同じ幅を有している。
【００４８】
ファンモータ２２ｂにより羽根車２２ａが回転駆動されると、ケーシング２３内に気流が形成される。すなわち、室内空気が吸い込み口５２ａ，５３ａを介してケーシング２３内へと流入する。そして、ケーシング２３内へと流入した空気は、室内熱交換器２１を通り抜けて室内ファン２２に達し、羽根車２２ａの回転に巻き込まれて室内ファン２２の下方へと吹き出される。そして、室内ファン２２の下方へと吹き出された空気は、室内ファン２２の下方に配置されているスクロール部材７０の案内面７０ａ（後述する）に沿ってケーシング２３に形成されている吹き出し口５６ａまで導かれ、再び室内へと送り出される。
【００４９】
ｃ）室内熱交換器
室内熱交換器２１は、主として、正面側熱交換器６１と、背面側熱交換器６２とを有している。室内熱交換器２１は、正面側熱交換器６１と背面側熱交換器６２とが連結されることにより、側面視において逆Ｖ字形状となっている。また、室内熱交換器２１は、正面視においてケーシング２３と概ね同じ幅を有しており、図３に示すように、室内ファン２２の上部および正面側を覆っている。
【００５０】
室内熱交換器２１は、ケーシング２３に形成されている吸い込み口５２ａ，５３ａと対向しており、吸い込み口５２ａ，５３ａと室内熱交換器２１との間には、フィルタ２５が配置されている。フィルタ２５は、室内ファン２２の駆動により吸い込み口５２ａ，５３ａを介してケーシング２３内へと流入した空気に含まれる塵や埃などを吸着し、これらが除去された空気を室内熱交換器２１へと送る役割を果たす。
【００５１】
また、室内ファン２２の駆動により室内熱交換器２１を通り抜ける空気は、室内熱交換器２１の伝熱管６３を流れる冷媒との間で熱交換を行って冷房運転時または除湿運転時には冷却され、暖房運転時には加熱される。そして、冷房運転時または除湿運転時には、空気中に含まれる水分が室内熱交換器２１の表面で結露することがある。結露した水は、正面側熱交換器６１の下方に配置されているドレンパン２４により受け取られて回収された後、ドレンパン２４に連通するドレンホース（図示せず）などにより規定される所定の経路に沿って流れ、ケーシング２３外へと排出される。
【００５２】
ｄ）スクロール部材
スクロール部材７０は、ケーシング２３の内部であって正面パネル５１の底面部５６側かつ背面ケーシング５７側の位置に配置されている。スクロール部材７０は、正面視においてケーシング２３と概ね同じ幅を有しており、室内ファン２２の背面側および下部を覆っている。すなわち、スクロール部材７０は、室内ファン２２に対して概ね室内熱交換器２１の反対側に存在している。
【００５３】
スクロール部材７０は、室内ファン２２の駆動により室内ファン２２の下流に流された空気をケーシング２３に形成されている吹き出し口５６ａの近傍まで案内する案内面７０ａを有している。案内面７０ａは、図３に示すように、側面視において概ね滑らかな曲線を描いており、案内面７０ａの描く曲線の曲率中心は、室内ファン２２側に存在している。案内面７０ａの上端は、室内ファン２２の上端と上下方向に概ね同じ位置にあり、案内面７０ａの側面視における左端は、室内ファン２２の側面視における左端と概ね同じ位置にある。また、案内面７０ａは、正面視においてケーシング２３と概ね同じ幅を有している。
【００５４】
ｅ）リブ
図６は、図４の状態からさらに室内ファン２２などの部品を取り除いた状態の室内ユニット２の斜視図である。図７は、整流リブ８０の正面図であり、図８は、整流リブ８０の側面図である。
【００５５】
スクロール部材７０の案内面７０ａの上端近傍であって、図４の状態の室内ユニット２を正面視した場合に室内ファン２２により隠れる位置には、多数の整流リブ８０が設けられている。これらの整流リブ８０は、図５および図６に示すように、室内ファン２２の幅方向に沿ってスクロール部材７０の正面視における左端近傍から右端近傍まで一列に並んでいる。そして、室内ファン２２の駆動により室内ファン２２の下流に流された空気は、整流リブ８０の近傍の空間に流れ込み、整流リブ８０の長手方向に沿ってさらに流されることにより、室内ファン２２の下流における気流が整流されることになる。
【００５６】
これらの整流リブ８０は、互いに同じ形状を有している。側面視における各整流リブ８０の輪郭は、整流リブ８０の上端８０ａと下端８０ｂとを結ぶ縁８０ｄと、整流リブ８０の上端８０ａと頂点８０ｃとを結ぶ縁８０ｅと、頂点８０ｃと整流リブ８０の下端８０ｂとを結ぶ縁８０ｆとにより描かれる。縁８０ｄは、案内面７０ａと接しており、概ね滑らかな曲線を描いている。頂点８０ｃは、整流リブ８０の案内面７０ａからの高さが最大となる点であり、本実施形態では、整流リブ８０全体の上寄りに位置する。この最大高さを、Ｈとする。また、整流リブ８０の正面視における上下方向の長さをＬとする。そして、整流リブ８０の正面視における左右方向の幅は、上端８０ａから下端８０ｂに向けて広がっており、上端８０ａにおける幅Ｗｈは、約１．５ｍｍであり、下端８０ｂにおける幅Ｗｌは、約３．０ｍｍとなっている。全ての整流リブ８０の上端８０ａは、その上下方向の位置が互いに揃えられている。すなわち、全ての整流リブ８０の上端８０ａは、室内ファン２２の下流から吹き出し口５６ａに向かう気流の方向の位置が互いに揃えられている。
【００５７】
そして、これらの整流リブ８０は、室内ファン２２の幅方向に互いにランダムなピッチＰ１，Ｐ２，Ｐ３，・・・を開けて配列されている。本実施形態においては、これらのピッチＰ１，Ｐ２，Ｐ３，・・・は、全て１０．０ｍｍ以下となるように設計されている。これにより、室内ファン２２の内部あるいは近傍において急激な空気圧力変化が生じにくくなっており、渦の発生が抑制されるようになっている。したがって、ＮＺ音の発生も抑制されるようになっている。
【００５８】
＜特徴＞
本実施形態にかかる室内ユニット２には、以下のような特徴がある。
【００５９】
室内ユニット２では、スクロール部材７０の案内面７０ａ上に多数の整流リブ８０が配列されている。スクロール部材７０の案内面７０ａは、クロスフローファンである室内ファン２２の下流から吹き出し口５６ａの近傍まで空気を案内する。そして、これらの整流リブ８０は、互いに同じ形状を有しており、室内ファン２２の幅方向に一列に並んでおり、室内ファン２２の下流から吹き出し口５６ａに向かう気流を安定に保つ役割を果たしている。また、これらの整流リブ８０間の各ピッチＰ１，Ｐ２，Ｐ３，・・・は、１０．０ｍｍ以下の範囲内でランダムに設定されている。そのため、この室内ユニット２では、整流効果が維持されるとともに、従来のように多数の整流リブ８０を等間隔で配列した場合よりも室内ファン２２の内部あるいは近傍において急激な空気圧力変化が生じにくくなっている。その結果、ケーシング２３内において渦の発生が抑制され、ＮＺ音が低減される。
【００６０】
＜変形例＞
以上、本発明の一実施形態について図面に基づいて説明したが、具体的な構成は、この実施形態に限られるものではなく、発明の要旨を逸脱しない範囲で変更可能である。
【００６１】
（Ａ）
上記実施形態においては、多数の整流リブ８０の位置が、室内ファン２２の下流から吹き出し口５６ａに向かう気流の方向に互いに揃えられていた。しかしながら、上記実施形態において、互いに同じ形状を有する多数の整流リブ８０が、室内ファン２２の下流から吹き出し口５６ａに向かう気流の方向にランダムに配置されていてもよい。この場合において、隣り合う整流リブ８０どうしの当該気流の方向の位置のずれ、または、最上流にある整流リブ８０と最下流にある整流リブ８０との位置のずれが、ある所定の範囲内に収まるように設計されていてもよい。
【００６２】
この変形例に係る室内ユニット２では、室内ファン２２の内部あるいは近傍において急激な空気圧力変化がさらに生じにくくなっており、その結果、渦の発生がさらに抑制され、ＮＺ音がより低減される。
【００６３】
（Ｂ）
上記実施形態においては、多数の整流リブ８０間のピッチＰ１，Ｐ２，Ｐ３，・・・が全て１０．０ｍｍ以下となるように設計されている。しかしながら、より好ましい実施形態として、これらのピッチＰ１，Ｐ２，Ｐ３，・・・が３．０ｍｍ以上かつ７．０ｍｍ以下に設計されていてもよい。この場合、上記実施形態の場合よりも室内ファン２２から吹き出し口に向かう気流を安定に保つことができる。
【００６４】
（Ｃ）
上記実施形態においては、多数の整流リブ８０が互いに同じ形状を有していたが、互いに異なる形状を有していてもよい。
【００６５】
例えば、各整流リブ８０が、スクロール部材７０の案内面７０ａからランダムな高さを有していてもよい。この場合において、隣り合う整流リブ８０どうしの案内面７０ａからの高さの差、または、当該高さが最大となる整流リブ８０と最小となる整流リブ８０との当該高さの差が、ある所定の範囲内に収まるように設計されていてもよい。
【００６６】
また、各整流リブ８０が、室内ファン２２の下流から吹き出し口５６ａに向かう気流の方向にランダムな長さを有していてもよい。すなわち、各整流リブ８０が、互いにランダムな長さＬを有していてもよい。この場合において、隣り合う整流リブ８０どうしの長さＬの差、または、長さＬが最大となる整流リブ８０と最小となる整流リブ８０との長さＬの差が、ある所定の範囲内に収まるように設計されていてもよい。
【００６７】
また、各整流リブ８０の正面視における左右方向の幅が、互いにランダムに設計されていてもよい。この場合において、隣り合う整流リブ８０どうしの幅の差、または、幅が最大となる整流リブ８０と最小となる整流リブ８０との幅の差が、ある所定の範囲内に収まるように設計されていてもよい。
【００６８】
また、各整流リブ８０の頂点８０ｃが、図９に示すように、室内ファン２２の下流から吹き出し口５６ａに向かう気流の方向にランダムな位置に存在するように設計されていてもよい。この場合において、隣り合う整流リブ８０の頂点８０ｃ間の距離、または、最上流に位置する整流リブ８０の頂点８０ｃと最下流に位置する整流リブ８０の頂点８０ｃとの距離が、ある所定の範囲内に収まるように設計されていてもよい。
【００６９】
この変形例に係る室内ユニット２では、室内ファン２２の内部あるいは近傍において急激な空気圧力変化がさらに生じにくくなっており、その結果、渦の発生がさらに抑制され、ＮＺ音がより低減される。
【００７０】
（Ｄ）
上記実施形態において、整流リブ８０が、スクロール部材７０の案内面７０ａ上においてより上方またはより下方に配置されていてもよいが、少なくとも整流リブ８０の一部分が室内ファン２２の羽根車２２ａの回転軸Ａ１よりも上方に配置されているか、あるいは、整流リブ８０を上下方向に延びる軸に投影した線分が室内ファン２２を当該軸に投影した線分に完全に含まれるようになっていることが好ましい。
【００７１】
（Ｅ）
上記実施形態において示された幅Ｗｈ＝１．５ｍｍおよび幅Ｗｌ＝３．０ｍｍは例示であり、各値ともにこれより大きくても小さくてもよい。また、整流リブ８０の正面視における左右方向の幅が上端８０ａから下端８０ｂに向けて一律であってもよい。
【００７２】
（Ｆ）
上記実施形態（Ａ）から（Ｅ）にかかる変形例に含まれる種々の技術的特徴は、任意に組み合わせることができる。
【産業上の利用可能性】
【００７３】
本発明は、クロスフローファンの内部あるいは近傍において急激な空気圧力変化を生じさせにくくして渦の発生を抑制し、ひいては、ＮＺ音を低減するという効果を有し、空気調和装置の室内ユニット、特に、クロスフローファンを備える空気調和装置の室内ユニットとして有用である。
【図面の簡単な説明】
【００７４】
【図１】本発明の第１実施形態にかかる室内ユニットを備える空気調和装置の外観を示す図。
【図２】空気調和装置の概略冷媒回路を示す図。
【図３】室内ユニットの側方断面図。
【図４】正面パネルおよびフィルタなどの部品を取り除いた状態の室内ユニットの斜視図。
【図５】正面視において左上部を一部切り欠いた状態の室内ユニットの斜視図。
【図６】図４の状態からさらに室内ファンなどの部品を取り除いた状態の室内ユニットの斜視図。
【図７】整流リブの正面図。
【図８】整流リブの側面図。
【図９】変形例（Ｃ）にかかる整流リブの正面図。
【符号の説明】
【００７５】
１  空気調和装置
２  室内ユニット
２１  室内熱交換器（熱交換器）
２２  室内ファン（クロスフローファン）
２２ａ  羽根車
２３  ケーシング
５１  正面パネル
５７  背面ケーシング
５２ａ，５３ａ  吸い込み口
５６ａ  吹き出し口
７０  スクロール部材（案内部材）
７０ａ  案内面
８０  整流リブ（リブ）
Ｐ１，Ｐ２，Ｐ３，・・・  ピッチ
【図１】
2008095971.tif 000003
【図２】
2008095971.tif 000004
【図３】
2008095971.tif 000005
【図４】
2008095971.tif 000006
【図５】
2008095971.tif 000007
【図６】
2008095971.tif 000008
【図７】
2008095971.tif 000009
【図８】
2008095971.tif 000010
【図９】
2008095971.tif 000011